(57)【要約】      （修正有）【課題】患者の身体の２つの異なる領域の体温を測定するための温度計の提供。【解決手段】温度計１００は、ボディ１０２とボディ１０２に固定されたプローブ１０４とを含む。プローブ１０２の先端１０８にはサーミスタ等の適当な温度センサー１０６が配置される。閉鎖位置と開放位置との間で旋回できるように、サポートアーム１１２がボディ１０２に旋回可能に取り付けられる。サポートアーム１１２は、閉鎖位置において、口腔または直腸の温度を測定するのにプローブ１０４が使用できるように、ボディ１０２内に配置される。開放位置においては、サポートアーム１１２は、腋窩の温度を測定するのにプローブ１０４を位置決めするための保持面となるように、ボディ１０２から離れて配置される。【選択図】図１
2008216239.tif 000002
【特許請求の範囲】
【請求項１】
ボディと、
前記ボディに固定されたベース部分と前記ボディから離れて配置された先端部分とを有するプローブと、
前記プローブに配置された温度を検出するためのセンサーと、
第１の位置と第２の位置の間で旋回可能なように前記ボディに移動可能に装着されたアームと、を備え、
前記第１の位置において、前記アームは前記ボディに隣接し、前記第２の位置において、前記アームはプローブに隣接して位置決めされる、
ことを特徴とする体温を測定するための温度計。
【請求項２】
前記ボディは、前記アームを収容するための座部を構成する湾曲したボディを備えることを特徴とする請求項１に記載の温度計。
【請求項３】
温度計のモードを変更するためのサポートによって起動されるスイッチをさらに備える、ことを特徴とする請求項１に記載の温度計。
【請求項４】
温度計の機能を作動させるためのスイッチを備える、ことを特徴とする請求項１に記載の温度計。
【請求項５】
前記アームは、前記第２の位置において、腋窩の温度を測定するためのプローブを支持するための保持面を構成する、ことを特徴とする請求項１に記載の温度計。
【請求項６】
前記プローブの長さは、前記第１の位置において、直腸の温度を測定するのに適合している、ことを特徴とする請求項５に記載の温度計。
【請求項７】
前記プローブの長さは、前記第１の位置において、口腔の温度を測定するのに適合している、ことを特徴とする請求項５に記載の温度計。
【請求項８】
ボディと、
前記ボディから離れた先端部分を有し、前記ボディにより支持されたプローブと、
前記プローブに配置された温度を検出するためのセンサーと、
、閉鎖位置と開放位置との間で旋回するように前記ボディに旋回可能に装着されたサポートアームと、を有し、
前記アームは、前記閉鎖位置において、プローブに隣接し、前記開放位置において、前記アームは、前記プローブを位置決めするための保持面を提供するために、前記ボディから離れて配置される、ことを特徴とする体温を測定するための温度計。
【請求項９】
前記ボディが、前記サポートアームを適合させるための座部を構成する湾曲したボディを含む、ことを特徴とする請求項８に記載の温度計。
【請求項１０】
温度計のモードを変更するためにサポートアームによって起動されるスイッチを備える、ことを特徴とする請求項８に記載の温度計。
【請求項１１】
温度計の機能を作動させるためのスイッチをさらに備える、請求項８に記載の温度計。
【請求項１２】
前記サポートアームは、前記開放位置において、腋窩の温度を測定するために、前記プローブをサポートするための保持面を構成する、ことを特徴とする請求項８に記載の温度計。
【請求項１３】
前記プローブの長さは、前記閉鎖位置において、直腸の温度を測定するのに適合している、ことを特徴とする請求項１２に記載の温度計。
【請求項１４】
前記プローブの長さは、前記閉鎖位置において、口腔の温度を測定するのに適合している、ことを特徴とする請求項１２に記載の温度計。
【請求項１５】
ベース部分及び先端部分を有するプローブと、
プローブの先端に配置された温度を検出するためのセンサーと、
所望の位置のプローブを位置決めするための保持面を提供する手段と、
を備えることを特徴とする体温を測定するための温度計。
【請求項１６】
前記保持面を提供する手段ボディは、
プローブのベース部分を支持するボディ部分と、
前記プローブを位置決めするための保持面を提供する、前記ボディ部分と隣接した閉鎖位置と前記ボディから離れた開放位置との間で旋回可能なアームと、
を備えることを特徴とする請求項１５に記載の温度計。
【請求項１７】
温度計の操作モードを切り替えるため手段をさらに備える、ことを特徴とする請求項１６に記載の温度計。
【請求項１８】
前記アームは、前記開放位置において、腋窩の温度を測定するためにプローブをサポートするための保持面を構成する、ことを特徴とする請求項１６に記載の温度計。
【請求項１９】
前記プローブの長さは、前記閉鎖位置において、直腸の温度を測定するのに適合している、ことを特徴とする請求項１６に記載の温度計。
【請求項２０】
前記プローブの長さは、前記閉鎖位置において、口腔の温度を測定するのに適合している、ことを特徴とする請求項１６に記載の温度計。
【発明の詳細な説明】
【技術分野】
【０００１】
本発明は、患者の体温を測定するための温度計に関する。より具体的には、本発明は、２つ以上の異なる身体領域、たとえば、口腔、直腸、腋窩などの領域の体温を測定するために使用できる温度計に関する。
【背景技術】
【０００２】
温度計は、一般的に、患者の体温を測定するために使用される。一般に、体温は、口腔、直腸、または腋窩の領域のうちの１つにおいて測定される。幼児に関しては、直腸の領域はしばしば好まれる。なぜなら、それは体温の中で最も正確な測定値を生むからである。しかしながら、子供が成長すると、口腔および腋窩の領域がより便利で、より広く使われる。
【０００３】
典型的な電子温度計は、プローブの先端に配置されたサーミスターなどの温度センサーを使って温度を測定する。温度を正確に測定するために、プローブの先端は正確な位置に配置され、指定された時間、その位置に安定的に保持されなければならない。例えば、腋窩の領域で温度を正確に測定するために、温度計のプローブの先端は、子供の腕の下の適切な位置に配置されなければならない。先端は、プローブが、安定した温度に達するために、適切な長さの時間の間適切な場所に保持されるべきで、これにより、精度を保証する。
【０００４】
しかしながら、小さいプローブだけが使用される場合には、先端は誤った位置に配置され、あるいは、安定的な位置に保持されないかもしれない。これを防止するために、温度計は、温度計のプローブを腋窩の領域の安定的な位置に保持するための保持装置と共に設計される。しかし、これらの装置は、口腔や直腸の領域などの他の身体領域での温度計の使用を妨害する。
【発明の開示】
【発明が解決しようとする課題】
【０００５】
したがって、温度計が口腔および／または直腸の温度を計るのに使用されるのを許容する一方で、腋窩の温度を計るための保持面を備えた改良された温度計に対するニーズが存在する。
【０００６】
本発明の１つの観点の目的は、少なくとも上記のニーズに対処すること、および、少なくとも以下に説明された利点を提供することである。したがって、、本発明の一の観点の目的は、患者の身体の２つの異なる領域の温度を測定するために使用できる機器を提供することにある。
【０００７】
本発明の一の観点の他の目的は、腋窩の温度を測定するために温度計をサポートするための保持面を提供することにある。
【０００８】
本発明の一の観点のさらに他の目的は、直腸の対応する温度を表示する温度計を提供することにある。
【課題を解決するための手段】
【０００９】
本発明の一の観点によれば、体温を測定するための温度計が提供される。この温度計は、ボディと、このボディに固定されたベース部分を有するプローブと、ボディから離れて配置された先端部分とを含む。温度を検出するためのセンサーはプローブに配置される。アームは、第１の位置と第２の位置との間で旋回できるように、ボディに取り付けられる。第１の位置では、アームはボディと隣接し、第２の位置には、アームはプローブと隣接して配置される。
【００１０】
本発明の別の観点によれば、体温を測定するための温度計が提供される。温度計は、ボディと、ボディに固定されたプローブとを含む。プローブは、ボディから離れて配置される先端部分を有する。温度を検出するためのセンサーはプローブに配置される。閉鎖位置と開放位置との間で旋回可能に、サポートアームがボディに旋回可能に取り付けられる。閉鎖位置では、アームはボディと隣接し、開放位置では、アームは、プローブを置くための保持面を提供するために、ボディから離れて配置される。
【００１１】
本発明の別の観点によれば、体温を測定するための温度計が提供される。温度計は、ベース部分及び先端部分を有するプローブと、プローブの先端に配置された温度を検出するためのセンサーと、正確な位置にプローブを位置決めするための保持面を提供する手段とを含む。
【発明を実施するための最良の形態】
【００１２】
上記および本発明の典型的な実施形態の他の目的、機能、および利点は、添付図面と連携してした以下の説明からより明きらかにされる。
図面において、同じ参照数字は、同じ要素、機能、および構造を参照すると理解される。
【００１３】
詳細な構造および要素等の詳細な説明において定義された事項は、発明の実施形態の包括的な理解を補助するために提供され、単なる例示である。従って、この技術の当業者は、発明の範囲と精神を逸脱せずに、ここで説明された実施形態の変形および修正が可能と認識する。また、周知の機能及び構造の説明は、明瞭さと簡潔性のために省略される。
【００１４】
図１及び図２を参照すると、本発明に係る典型的な実施形態の温度計１００は、その一端から伸長するプローブ１０４を備える湾曲したメインボディ１０２を有する。サーミスター、その他の温度を電気的に測定するのに適当な機器である温度センサー１０６は、プローブ１０４の先端１０８に配置される。温度計１００のメインボディ１０２のＬＣＤディスプレイ１１０は、温度センサーにより測定された温度を表示する。図１において、サポートアーム１１２は、第１の身体領域（例えば、腋窩の領域）における温度を測定するために温度計１００が使用できるように、メインボディ１０２に対して閉じている。図３において、サポートアーム１１２は、第２の身体領域（例えば、直腸の領域）における温度を測定するためにプローブを位置決めする保持面を提供するように、メインボディに対して開いている。したがって、温度計は、複数の位置の患者の体温を測定するために便利に使用できる。
【００１５】
図４に変り、温度計のメインボディは、上部シェル１１４および下部シェル１１６を備える。組み立てられる時には、上部シェル１１４および下部シェル１１６は、プリント基板１１８を受容する空洞を構成する。ユーザーがつかむのに便利なように、メインボディ１０２は成形され、ＡＢＳ（アクリロニトリル−ブタジエン−スチレン）やＰＣ（ポリカーボネート）などの適切なプラスチックの材料から成形できる。
【００１６】
上部シェル１１４は、ディスプレイ１１０がユーザーにより見られるようにプリント基板１１８に設置されたディスプレイ１１０を受容するための第１の開口１２０を含む（図１を参照）。さらに、上部シェル１１４は、起動スイッチカバー１２４を受容するための第２の開口１２２（図１を参照）を有する（図１を参照）。起動スイッチカバー１２４は、柔軟なゴムでオーバモールドされたキャップ部品である。プリント基板１１８に設置されたスイッチを起動させるために、ユーザーが起動スイッチカバー１２４を押すことができる。スイッチは、温度計１００を作動させる、華氏および摂氏の温度表示との間で切り替える等の様々な機能を起動させるのに使用される。上部シェル１１４は、サポートアーム１１２が閉じられた時に（図１を参照）、サポートアーム１１２が上部シェル１１４に嵌ることを可能にする凹部１７４（図3を参照）を有する。
【００１７】
一対の対向する凹部１２６、１２８は、上部および下部シェル１１４、１１６の一端部にそれぞれ配置される。一対の対向する凹部１２６、１２８は、温度計１００のプローブ１０４と係合し、受け入れるための開口を形成している。
【００１８】
図４に示すように、１対の対向する凹部１3０、１3２は、上部および下部シェルの一側部にそれぞれ配置され、サポートアーム１１２を受け入れるための開口を形成している。
【００１９】
図４に示すように、メインボディ１０２の下部シェル１１６は、ユーザーがサポートアーム１１２を便利に握ることを可能にするために、切欠き部分１７２を有する。メインボディ１０２の下部シェル１１６に備わる孔１３４は、電力を温度計１００に供給するために使用されるバッテリー１７６を交換するなどのために、プリント基板１１８へのアクセスを可能にする。
【００２０】
フェースプレート１３８は、メインボディ１０２の頂部に配置されている。フェースプレート１３８は、メインボディ１０２の上部面に置かれたディスプレイ１１０と起動スイッチ１２４を受け入れるための第１および第２の孔１４０、１４２を有する。フェースプレート１３８は、スナップフィットまたは他の適当な方法でメインボディ１０２に取り付けられる。
【００２１】
ディスプレイカバー１４４は、ディスプレイ１１０を覆い、保護するために備わっている。ディスプレイ１１０のカバーは透明であり、ポリカーボネート、アクリル材料、または同様な材料で形成されている。
【００２２】
温度計１００のプローブ１０４は、温度計１００のメインボディ１０２の一端部に形成された凹部１２６、１２８内に配置される。プローブは所定の位置に接着されるか、または、摩擦嵌合により所定位置に保持される。温度センサー１０６または温度を測定するための他の適当な装置は、プローブ１０４の先端１０８に配置される。温度センサー１０６は、電線によりプローブ１０４の中心部を通過するワイヤによりプリント基板１１８に接続される。プローブ１０４の長さは、所望の身体領域にに使用するのに適するように選択される。例えば、プローブ１０４の長さは、サポートアーム１１２が閉じている時に直腸の温度を測定し、サポートアーム１１２が開いている時に腋窩の温度を測定するように設計される。現在想像されるように、プローブは約０．５３インチの長さであり、約０．１８インチの直径である。閉鎖時に口腔の温度、開放時に腋窩の温度等の他の構成も可能である。
【００２３】
プリント基板１１８は、適当な方法によってメインボディ１０２の上部シェル１１４に設置される。例えば、図解されているように、回路基板の開口を通過するボス１４６により適所に保持される。プリント基板１１８は、プローブ１０４で温度を決定するために、プローブ１０４の先端１０８における温度センサー１０６から受け取った信号を処理し、その温度をディスプレイ１１０に表示するのに適当な処理回路を含む。そのような電気回路は、関連技術の当業者には周知であり、さらに詳細には説明しない。
【００２４】
温度計１００のサポートアーム１１２は、第１の端部１４８および第２の端部１５０を有する。サポートアーム１１２の第１の端部１４８は、メインボディ１０２の側で形成された開口に係合させるためにサポートアーム１１２から伸長する固定突出部１５２（図５を参照）を有する。アームのメインボディ１０２との係合は、上記したように、アームが、開放および閉鎖位置の間を旋回るまたは回転することを可能にする。アームが、開放位置へ回転する時には、アームの第２の端部は、腋窩の領域で安定的な方法でプローブ１０４を支持するように構成される。プローブ１０４を安定に維持することによって、温度をより正確に測定することが可能となる。さらに、プローブ１０４は、安定位置に維持されると、より短い時間で、最終的な温度測定に達し、したがって、より短い測定時間を潜在的に可能にする。
【００２５】
サポートアーム１１２は、２片で形成されている。第１の内側片１５４が第２の外側片１５６と協働して係合し、サポートアーム１１２を構成する。
【００２６】
サポートアーム１１２の固定突出部１５２は、温度計１００の用法に依存して、温度計１００のディスプレイモードを変更するためのモードスイッチ１５８（図６を参照）を起動させるように構成されている。直腸温度測定は、医学の専門家により最も正確であると考えられており、直腸相当温度を提供するために、１、２度程度を補償要素として腋窩または口腔の測定に加えることが普通の実務となっている。したがって、サポートアーム１１２は、温度計１００が、測定された腋窩の温度の直腸相当温度を計算し、表示するように、開放位置に配置された時に、モードスイッチ１５８を起動できる。直腸相当温度はそれ自体を表示してもよいし、または、実際の測定温度と２者択一としてもよい。
【００２７】
モードスイッチ１５８は、サポートアーム１１２の動きによって作動する（マイクロスイッチなどの）機械的なスイッチとすることができる。モードスイッチ１５８は、他のタイプのスイッチによっても実施できる。例えば、サポートアーム１１２に配置された磁石を利用しているホール効果スイッチを用いることができる。
【００２８】
音声出力装置１６０（スピーカーなどの）は、メインボディ１０２の空洞内に備わる。スピーカー１６０は、プリント基板１１８に接続され、ユーザーに可聴のシグナルを提供する。例えば、スピーカー１６０は、プローブ１０４が最終温度に達したことを報知する。
【００２９】
図６は、温度計１００の機能を説明するデュアルの使用温度計１００のブロック図である。温度計１００は、温度を測定するための温度センサー１０６、温度センサー１０６の温度を決定し、測定された温度をディスプレイ１１０に表示するための処理回路１６２、本発明の特徴を起動させるための起動スイッチ１２４、及び、温度計１００のディスプレイモードを変更するためのモードスイッチ１５８を含む。
【００３０】
図７は、本発明の温度計１００を保持するためのケース１６４の斜視ずである。ケースは、上半部１６６、下半部１６８、及び上半部及び下半部を結合するためのリング１７０を含む。ケースの内部は、温度計１００を保持するために中空である。
【００３１】
特定の実施形態に関連して本発明が示され、記述されたが、本発明の精神、添付の特許請求の範囲及びその均等物の範囲を逸脱しないで当業者により形態及び詳細の種々の変更がなされることが理解される。
【図面の簡単な説明】
【００３２】
【図１】閉鎖位置にあるサポートアームを備える、本発明の２重用途の温度計の典型的な実施形態の上方斜視図である。
【図２】閉鎖位置にあるサポートアームを備える、図１の温度計の底部から見た斜視図である。
【図３】開放位置にあるサポートアームを備える図１の温度計の上方から見た斜視図である。
【図４】温度計の底部から見た図１の温度計の分解斜視図である。
【図５】図１の温度計のサポートアームの分解斜視図である。
【図６】図１の温度計の電気的構成要素のブロック図である。
【図７】図１の温度計を保持するためのケースを示す図である。
【図１】
2008216239.tif 000003
【図２】
2008216239.tif 000004
【図３】
2008216239.tif 000005
【図４】
2008216239.tif 000006
【図５】
2008216239.tif 000007
【図６】
2008216239.tif 000008
【図７】
2008216239.tif 000009
【外国語明細書】
2008216239000001.pdf